(57)【特許請求の範囲】
【請求項１】
取付箱に設けたノッチ爪手段と、ノッチ爪手段のロック解除手段とよりなり、ノッチ爪手段は、取付箱に、第１バネ手段を介して取付箱の側面に突出自在のノッチ爪を設けたロックアームと、ロックアームの基端部に把手本体の動きをロックアームの直線運動に変換する変換装置とよりなり、ロック解除手段は、取付箱の側面に突出していて、ドアの開放方向の動きには倒れ、閉まり方向の動きには起立している解除爪と、解除爪の起立時に後記の外枠金具に衝当して第２バネ手段に抗して引っ込む解除アームとよりなり、把手本体の動きに応じた変換装置の動きにより移動するロックアームは、解除アームに連動するロック爪によりロックされて停止自在となし、解除アームの引っ込み時にはロック爪のロックが外れてノッチ爪を突出自在とし、これらのノッチ爪と、解除爪はドアの相手側に設けた外枠金具の止め穴に出没、衝当自在としたドアの開閉金具。
【請求項２】
取付箱に設けたノッチ爪手段と、ノッチ爪手段のロック解除手段とよりなり、ノッチ爪手段は、取付箱に、第１バネ手段を介して取付箱の側面に突出自在のノッチ爪を設けたロックアームと、ロックアームの基端部に把手本体の動きをロックアームの直線運動に変換する変換装置とよりなり、ロック解除手段は、取付箱の側面に解除爪が突出していて、後記の押し爪により第２バネ手段に抗して押されて引っ込む解除アームよりなり、把手本体の動きに応じた変換装置の動きにより移動するロックアームは、解除アームに連動するロック爪によりロックされて停止自在となし、解除アームの引っ込み時にはロック爪のロックが外れてノッチ爪を突出自在とし、これらのノッチ爪と、解除爪はドアの相手側に設けた外枠金具の止め穴に出没、衝当自在とすると共に、外枠金具の止め穴の両側位置には、ドアの開放方向の動きには倒れ、閉まり方向の動きには起立している押し爪を設けて、押し爪の起立時に前記解除爪を第２バネ手段に抗して引っ込ませ、ロック爪とロックアームのロックを解除自在とした両面開きドアの開閉金具。
【発明の詳細な説明】
【０００１】
【産業上の利用分野】
本発明は幼児、障害者や高齢者、殊に車椅子生活をする人々のドアの開閉操作に便利なドアの開閉金具に関する。
【０００２】
【従来の技術及びその欠点】
従来ドアの開閉に際し、自動的に閉じるようにするドアクローザーが設置されているのが一般的であるが、閉鎖状態からドアを押し開けようとするには相当の力を必要とし、幼児、障害者や高齢者、殊に車椅子生活で手などの不自由な人にとってはドアの開放操作に困難を極め、殊に閉鎖状態においてはドアクローザーの押圧力が一段と強力になっているため、初期の開放操作が困難で、且つ手足や着衣を挟み怪我や損傷するおそれがある。
【０００３】
又ドアクローザーの設置している、いないに拘わらず、一般にドアを開けようとするときは把手を一定距離回動し、その状態を維持しながらドアを押し開けるようになっているが、幼児、障害者や高齢者、殊に車椅子生活をする人々にとっては、把手の回動作業とドアを押す作業を同時にすることはきわめて困難な作業であり、その解決が望まれている。
【０００４】
【発明が解決しようとする課題】
そこで本発明は、幼児、障害者や高齢者、殊に車椅子生活で手などの不自由な人々の日常生活におけるドアの開閉操作を簡単にできるドアの開閉金具を提供しようとするものである。
【０００５】
【課題を解決するための手段】
本発明は先ず、ドアの開閉金具は、取付箱に設けたノッチ爪手段と、ノッチ爪手段のロック解除手段とよりなり、ノッチ爪手段は、取付箱に、第１バネ手段を介して取付箱の側面に突出自在のノッチ爪を設けたロックアームと、ロックアームの基端部に把手本体の動きをロックアームの直線運動に変換する変換装置とよりなり、ロック解除手段は、取付箱の側面に突出していて、ドアの開放方向の動きには倒れ、閉まり方向の動きには起立している解除爪と、解除爪の起立時に後記の外枠金具に衝当して第２バネ手段に抗して引っ込む解除アームとよりなり、把手本体の動きに応じた変換装置の動きにより移動するロックアームは、解除アームに連動するロック爪によりロックされて停止自在となし、解除アームの引っ込み時にはロック爪のロックが外れてノッチ爪を突出自在とし、これらのノッチ爪と、解除爪はドアＡの相手側に設けた外枠金具の止め穴に出没、衝当自在としたものである。
【０００６】
両面開きドアにあっては、解除爪と解除アームを一体とし、外枠金具の止め穴の両側位置（ドアの開き方向。）には、ドアの開放方向の動きには倒れ、閉まり方向の動きには起立している押し爪を設けて、押し爪の起立時に前記解除爪を押して引っ込ませ、ロック爪とロックアームのロックを解除自在とする。
【０００７】
尚ドアの丁番金具は、下部取付板を固定した下部筒体と、上部取付板を固定した上部筒体と、回転ロッド機構とよりなり、下部筒体には、固定した筒カムと、該筒カムの円弧状のカム面を転動するローラと、筒カム内と後記する上下接続スリーブを上下動する前記ローラを設けたスライドカラーと、上部に螺着した上下接続スリーブと、下部に設けた強弱調整ボルトを設けており、上部筒体には、上端にはキャップを螺着する止めねじと、後記のロックピンの掛合する調節溝を設けており、回転ロッド機構は、上端にバネ押さえカラーとロックピンを備え、筒カム、スライドカラーの回転止め穴、上下接続スリーブ、上部筒体を貫通し下部に調節雌ネジを刻設した回転ロッドと、押さえカラーとスライドカラーの上面間を押圧する押圧コイルバネとよりなり、順次組み合わせ、上部筒体の止めネジにはキャップを螺着し、回転ロッドの下端は強弱調節ボルトを螺着して押圧コイルバネの強弱の調節を自在としたものを用いると良い。
【０００８】
【実施例】
本発明を、先ず片面開き用ドアに用いる開閉金具の図示の実施例によって詳細に説明すると、ドアＡに固定する取付箱１に設けたノッチ爪手段２と、ノッチ爪手段２のロック解除手段３とよりなり、ノッチ爪手段２は、取付箱１に第１バネ手段４を介して取付箱１の側面に突出自在のノッチ爪５を設けたロックアーム６と、ロックアーム６の基端部に把手本体７の動きをロックアーム６の直線運動に変換するカム等の変換装置８とよりなっている。
【０００９】
ノッチ爪５は、第１バネ手段４により押圧されて、ドアＡの相手方（外枠）に取り付けた外枠金具９の止め穴１０に掛合し、ドアＡの閉鎖状態を維持するようになっており、把手本体７を回動させることにより、変換装置８がロックアーム６の基端に設けた従動子６’を第１バネ手段４の押圧に抗して内方に移動させロックアーム６を内方に引き、ノッチ爪５を止め穴１０より外れるようになっている。
【００１０】
ノッチ爪５のロック解除手段５は、取付箱１の側面に突出していて外枠金具９の止め穴１０’に掛合自在であり、ドアＡの開放方向の動きには倒れ、閉まり方向の動きには起立している解除爪１１と、解除爪１１の起立時に外枠金具９に衝当して第２バネ手段１２に抗して引っ込む解除アーム１３とよりなっている。
【００１１】
解除爪１１は解除アーム１３の先端に、ドアＡの閉鎖方向に倒れ、開放方向には倒れないで起立するように軸１４によって取り付けており、同時に解除爪１１はバネ１５によってドアＡの開放方向に押圧され、起立状態となっている。
【００１２】
上記ノッチ爪手段２とロック解除手段３の相互の関係は以下のようになる。即ち、解除アーム１３にピン１９によって軸承され、取付箱１の支軸１８を支点として回動し先端にロック爪１７’を設けたくの字型のロック板１７が設けてあり、一方把手本体７の動きに応じた変換装置８の動きにより、従動子６’が内方に引かれてロックアーム６に設けた掛合凹部１６に前記ロック爪１７’が掛合しロックアーム６が内方に引き込まれた状態で停止するようになっている（図２）。
【００１３】
解除アーム１３の引っ込み時、即ち解除爪１１が倒れずに起立状態で解除アーム１３を押し込む時はロック板１７が回動し、ロック爪１７’と掛合凹部１６のロックが外れ、ロックアーム６全体が第１バネ手段４に押圧されてノッチ爪５を取付箱１の側面より突出し、ノッチ爪５はドアＡの相手側に設けた外枠金具９の止め穴１０に掛合する。同時に解除爪１１は、第２バネ手段１２に押されてドアＡの相手側に設けた外枠金具９の止め穴１０’に掛合するようになっている。
【００１４】
尚把手本体７は回動式のものを記したが、押圧式、引き方式でもよく、ロックアーム６を直線運動させる方法であればよく、この場合の変換装置８はカム以外の適宜運動の変換方式を採用すればよい。
【００１５】
次に、図４に示す両面開きドアＡ’にあっては、図１における解除爪１１と解除アーム１３を一体とし、外枠金具９の止め穴１０，１０’の両側の左右対称位置には、ドアＡ’の開放方向の動きには解除爪１１に触れバネ４０に抗して倒れ、閉まり方向の動きには起立している押し爪４１、４１を設けて、押し爪４１、４１の起立時に前記解除爪１１を第２バネ手段１２に抗して押し込み、ロック爪１７’とロックアーム６のロックを解除するようにしてある。尚両面開きドアにあってはノッチ爪５の形状も両方に開閉回動する形状に変えてある。
【００１６】
上記ドアの開閉金具に用いると良い丁番金具について図５，６で説明する。下部取付板２０を固定した下部筒体２１と、上部取付板２２を固定した上部筒体２３と、回転ロッド機構２４とよりなり、下部筒体２１には、下部内側に固定した筒カム２５と、該筒カム２５の円弧状のカム面２６（このカム面はドアの回動角度、動きに合わせて複数のカム面２６’とすることができる。）を転動するローラ２７と、筒カム２５内と後記する上下接続スリーブ２９を上下動する前記ローラ２７を設けたスライドカラー２８と、下部筒体２１の上部に螺着した上下接続スリーブ２９と、下部に設けた強弱調整ボルト３０とを設けている。
【００１７】
上部筒体２３には、上端にはキャップ３１を螺着する止めねじ３２と、後記のロックピン３５の掛合する調節溝３３を設けている。
【００１８】
回転ロッド機構２４は、上端にバネ押さえカラー３４とロックピン３５を備え、筒カム２５、スライドカラー２８の中心部を貫通する角穴や、回転滑り止め機構を付けた回転止め穴２８’、上下接続スリーブ２９、上部筒体２３を貫通し下部に調節雌ネジ３６を刻設した回転ロッド３７と、押さえカラー３４とスライドカラー２８の上面間を押圧する押圧コイルバネ３８とよりなっている。
【００１９】
これらを順次組み合わせ、上部筒体２３の止めネジ３２にはキャップ３１を螺着し、回転ロッド３７の下端の調節雌ネジ３６にはベアリング３９を介して強弱調節ボルト３０を螺着し、押圧コイルバネ３８の強弱の調節を自在としたものであり、強弱調節ボルト３０を締め付け回転ロッド３７、押さえカラー３４、ロックピン３５は調節溝３３に沿って下降して押圧コイルバネ３８を縮小し、この縮小によって押圧コイルバネ３８の回転抵抗力が強まり、逆に強弱調節ボルト３０を緩めることによって押圧コイルバネ３８が伸び押圧力が弱まる。
【００２０】
この丁番装置は単独で使用することもできるが、上記の片面開き或は両面開きドアの開閉金具と併用するとより効果的である。即ち、把手本体７を回動してノッチ爪５を止め穴１０から外し、ロックアーム６の掛合凹部１６とロック爪１７’とを掛合させてロックアーム６の逆動を停止させ、その後ドアＡ、Ａ’を比較的弱い力で押せば、丁番金具における押圧コイルバネ３８は一番伸びきった状態になって押圧力が弱くなっているので、初期押し操作が比較的弱い力で押してもカム面２６をローラ２７が転動し、且片面開きドアでは解除爪１１、両面開きドアでは押し爪４１が倒れ、スムーズな開放操作ができる。
【００２１】
ドアＡ、Ａ’の閉鎖操作においては、丁番金具における押圧コイルバネ３８は一番縮小状態にあって押圧力が強くなっており、ドアを軽く閉鎖方向に引けばカム面２６をローラ２７が転動し、押圧コイルバネ３８は徐々に一番の伸張状態となり押圧力が弱まり、且っ片面開きドアでは解除爪１１、両面開きドアでは押し爪４１が起立状態となって解除アーム１３を押し込んでロック爪１７’と掛合凹部１６のロックを外し、ノッチ爪５が止め穴１０に、解除爪１１が止め穴１０’に自動的に掛合しドアが閉じられる。
【００２２】
【作用】
本発明は以上のようになるものであるが、その作用を説明する。先ず片開きドアの開閉金具では、ドアＡに取付箱１を固定し、変換装置８に取り付けられた把手本体７を左右何れかに回動させると、変換装置８が従動子６’を第１バネ手段４に抗して後方に引き込むとロックアーム６全体が後方に移動し、ノッチ爪５が外枠金具９の止め穴１０から外れ、同時にロックアーム６の掛合凹部１６にロック爪１７’が掛合してロックアーム６の逆動（前移動）を停止する（両面開きドアＡ’の開閉金具におけるロックアームの動きも同じ。）。
【００２３】
この後ドアＡを開放方向に押すと、解除爪１１は止め穴１０’の縁に触れ、バネ１５に抗してドアの閉鎖方向に倒れ、ドアＡの外枠金具９より外れる。
【００２４】
ドアＡを閉める時は、まず解除爪１１が起立状態のまま外枠金具９に衝当し、第２バネ手段１２に抗して解除アーム１３を後方に移動させ、同時にロック板１７が支軸１８を支点として回動し、先端のロック爪１７’と掛合凹部１６の掛合が解け、ロックアーム６は第１バネ手段４により前進し、ノッチ爪５が取付箱１の側面から突出し、外枠金具９の止め穴１０に掛合し、同時に解除爪１１もバネ１５に押されて起立状態のまま止め穴１０’に掛合し、ドアＡが閉じる。
【００２５】
両開きドアＡ’にあっては、図において左方向に開放するときは、把手本体７を回動操作することにより、ノッチ爪５が引っ込むと同時に掛合凹部１６とロック爪１７’が掛合し、解除アーム１３と一体となっている解除爪１１が取付箱１の側面から突出し、その後ドアＡ’を軽く押すと突出した解除爪１１が押し爪４１に触れ、押し爪４１はバネ４０に抗して倒れドアが開放される。
【００２６】
閉めるときは突出している解除爪１１が押し爪４１に触れ、押し爪４１は起立状態のままで解除爪１１を第２バネ手段１２に抗して押圧し、ロック爪１７’と掛合凹部１６とのロックが解かれ、ノッチ爪５が突出して止め穴１０と掛合しドアＡ’閉められる。
【００２７】
次に上記ドアの開閉金具と併用すると良い丁番金具の作用について説明する。ドアの開いた状態から順に説明すると、下部取付板２０と上部取付板２２の夫々は図示しないドア枠、柱等に固定されており、開いた状態ではローラ２７はカム面２６の平坦面（反対側にもカム面２６’を設けてドアの開放した状態をより強く維持するようにすることもできる。）にあり、この状態では押圧コイルバネ３８の押圧力はドアの開放方向に働き、閉鎖方向には働かない状態となっている（図６（イ））。
【００２８】
ドアを閉じる方向に回動することにより上部取付板２２、上部筒体２３、ロックピン３５、バネ押さえカラー３４、回転ロッド３７、スライドカラー２８、ローラ２７が回転し、ローラ２７は筒カム２５のカム面２６を下方に転動しスライドカラー２８を下降させて押圧コイルバネ３８を伸張させ、この移動中間における押圧コイルバネ３８の押圧力が強くドアの閉まる方向に回転力が働いてドアを閉じ、閉じる終端位置において押圧コイルバネ３８の押圧力が弱まりドアの閉まる力が弱くなり（図６（ロ））、ドアと柱などの間に手を挟んでも怪我をすることが少なく、且衣類なども損傷することがない。
【００２９】
ドアの閉じた状態ではローラ２７はカム面２６の最下端に位置し（図６（ハ））、押圧コイルバネ３８も一番の伸張状態となっているので押圧力が弱くなっており、従ってドアを軽く押す初期操作でローラ２７はカム面２６を上方向に転動させドアをスムーズに開放することができる。
【００３０】
【効果】
本発明は叙上のように、取付箱に設けたノッチ爪手段と、ノッチ爪手段のロック解除手段とよりなり、ノッチ爪手段は、取付箱に、第１バネ手段を介して取付箱の側面に突出自在のノッチ爪を設けたロックアームと、ロックアームの基端部に把手本体の動きをロックアームの直線運動に変換する変換装置とよりなり、ロック解除手段は、取付箱の側面に突出していて、ドアの開放方向の動きには倒れ、閉まり方向の動きには起立している解除爪と、解除爪の起立時に後記の外枠金具に衝当して第２バネ手段に抗して引っ込む解除アームとよりなり、把手本体の動きに応じた変換装置の動きにより移動するロックアームは、解除アームに連動するロック爪によりロックされて停止自在となし、解除アームの引っ込み時にはロック爪のロックが外れてノッチ爪を突出自在とし、これらのノッチ爪と、解除爪はドアの相手側に設けた外枠金具の止め穴に出没、衝当自在としたので、幼児、障害者や高齢者、殊に車椅子生活で手などの不自由な人々の日常生活におけるドアの開閉操作において把手の回動作業とドアの押す作業を分けて行うことができスムーズな開閉操作ができる。
【００３１】
次に、両面開きドアにあっては、解除爪と解除アームを一体とし、外枠金具の止め穴の両側の左右対称位置には、ドアＡの開放方向の動きには解除爪に触れバネに抗して倒れ、閉まり方向の動きには起立している押し爪を設けて、押し爪の起立時に前記解除爪を第２バネ手段に抗して押し込み、ロック爪１７’とロックアーム６のロックを解除するようにしてあるので、両面開きドアでも把手の回動作業とドアの押す作業を分けて行うことができスムーズな開閉操作ができる。
【００３２】
又本発明における、開閉金具と図５、図６示した丁番金具を併用することによって、把手本体を回動させ、ノッチ爪を止め穴から外し、ロックアームの掛合凹部とロック爪とを掛合させてロックアームの逆動を停止させ、その後ドアを比較的弱い力で押せば、丁番金具における押圧コイルバネは一番伸びきった状態になって押圧力が弱くなっているので、軽い初期押し操作でカム面をローラが転動し、且片面開きドアでは解除爪、両面開きドアでは押し爪が倒れ、スムーズな開放操作ができる。
【００３３】
又閉じる際も、丁番金具における押圧コイルバネは一番縮小状態にあって回転抵抗力が強くなっており、ドアを軽く閉鎖方向に引けばカム面をローラが転動し、押圧コイルバネは徐々に一番の伸張状態となり押圧力が弱まり、且片面開きドアでは解除爪、両面開きドアでは押し爪が起立状態となって解除アームを押し込んでロック爪と掛合凹部のロックを外し、ノッチ爪止め穴に、解除爪が止め穴に自動的に掛合しドアがスムーズに閉じられる。
【図面の簡単な説明】
【図１】  本発明に係るドアの開閉金具の正面説明図。
【図２】  同開閉金具のロックアームとロック爪のロック状態の正面説明図。
【図３】  解除爪と外枠金具の説明図で、（イ）はドアの閉まる状態のとき、（ロ）はドアを開く状態の説明図。
【図４】  両面開きドアにおける開閉金具の作動説明図。
【図５】  本発明の開閉金具と併用すると良い丁番金具の断面説明図。
【図６】  本発明の開閉金具と併用すると良い丁番金具のスライドカラーとローラ及びカム筒の関係を示した説明図で、（イ）はドアの開いた状態、（ロ）は中間状態、（ハ）はドアの閉まった状態時の説明図。
【符号の説明】
１は取付箱
２はノッチ爪手段
３はロック解除手段
４は第１バネ手段
５はノッチ爪
６はロックアーム
６’は従動子
７は把手本体
８は変換装置
９は外枠金具
１０、１０’は止め穴
１１は解除爪
１２は第２バネ手段
１３は解除アーム
１４は軸
１５はバネ
１６は掛合凹部
１７はロック板
１８は支軸
１９はピン
【図１】
0003669695.tif 000002
【図２】
0003669695.tif 000003
【図３】
0003669695.tif 000004
【図４】
0003669695.tif 000005
【図５】
0003669695.tif 000006
【図６】
0003669695.tif 000007